(57)【要約】      （修正有）【課題】天然竹棒を配した和室に好適な照明を提供する。【解決手段】昼間などの非点灯時には、外装カバー２３の竹模様３５と、左右の竹棒半体１６Ａ及び竹棒半体１６Ｂの竹模様３５が色を含めて近似しているため、来客には和室用照明２０の存在が、殆ど認識できない。すなわち、和室内に和室用照明２０があるとは思わず、和室における自然感が良好に保たれる。夜間などの点灯時には、和室用照明２０が軟らかい照光を発する。天然竹棒１６の一部が発光しているように見え、来客に意外性を与えることとなる。【選択図】図７
0003173492.tif 000002
【実用新案登録請求の範囲】
【請求項１】
和室の室内面に渡される天然竹棒に組み合わせて使用される和室用照明であって、
この和室用照明は、
前記天然竹棒の径に対応した径で且つＣ形断面を呈し、可撓性及び透光性を有する樹脂製筒であって、外面に前記天然竹棒に模した竹模様が付され、前記天然竹棒で支持される外装カバーと、
この外装カバー内に配置され前記和室の室内面に取付けられる直管電灯とからなり、
前記外装カバーは、前記直管電灯よりも長いことを特徴とする和室用照明。
【請求項２】
前記和室は茶室であることを特徴とする請求項１記載の和室用照明。
【考案の詳細な説明】
【技術分野】
【０００１】
本考案は、茶室に好適な照明に関する。
【背景技術】
【０００２】
日本の伝統文化である茶の湯が行われる茶室では、採光に工夫が凝らされる。すなわち、昼間にあっては窓から自然光を取り入れ、夜間にあっては行燈（あんどん）により照度を得てきた。自然感を前面に出すことが、茶道に相応しいとの演出による。
茶室ほどには厳格さが求められない一般の和室においても、直接照明よりも間接照明が好まれる。
【０００３】
間接照明には各種のものが提案されてきた（例えば、特許文献１（図８）参照。）。
【０００４】
特許文献１を次図に基づいて説明する。
図１０は従来の間接照明を説明する図であり、壁面部１０１と天井面部１０２とが交わる出隅部１０３に配置される間接照明１０４は、出隅部１０３に取付けられる光源１０５と、この光源１０５をカバーする略Ｌ字断面の光源カバー１０６とからなる。光源カバー１０６と壁面部１０１との間（隙間）から照光（矢印（１））が漏れると共に光源カバー１０６と天井面部１０２との間（隙間）から照光（矢印（２））が漏れる。照光が直接的に人１０７の目に入る心配がない。
【０００５】
和室は多様であり、中でも茶室を模した「数寄屋造り」の和室では、天井板を支える棹縁や廻り縁に天然の竹（以下、天然竹棒という）を使用する。天然竹棒を配することにより自然感を強めることができる。このような本格的な和室には、特許文献１の間接照明は採用できない。
すなわち、しかし、光源カバー１０６が突出しており、目立つため、特許文献１の間接照明は洋間に適しているものの、天然竹棒を配した和室には不向きである。
【０００６】
そこで、天然竹棒を配した和室に好適な間接照明が望まれる。
【先行技術文献】
【特許文献】
【０００７】
【特許文献１】特開２００５−２８５６６４公報
【考案の概要】
【考案が解決しようとする課題】
【０００８】
本考案は、天然竹棒を配した和室に好適な照明を提供することを課題とする。
【課題を解決するための手段】
【０００９】
請求項１に係る考案は、和室の室内面に渡される天然竹棒に組み合わせて使用される和室用照明であって、
この和室用照明は、
前記天然竹棒の径に対応した径で且つＣ形断面を呈し、可撓性及び透光性を有する樹脂製筒であって、外面に前記天然竹棒に模した竹模様が付され、前記天然竹棒で支持される外装カバーと、
この外装カバー内に配置され前記和室の室内面に取付けられる直管電灯とからなり、
前記外装カバーは、前記直管電灯よりも長いことを特徴とする。
【００１０】
請求項２に係る考案では、和室は茶室であることを特徴とする。
【考案の効果】
【００１１】
請求項１に係る考案では、照明は、外装カバーと直管電灯とからなり、外装カバーに竹模様が付されている。天然竹棒の一部が切り欠かれ、そこへ外装カバーが嵌められる。
外装カバーが両端の天然竹棒と同じ模様であるため、昼間（非点灯時）は、そこに照明があることは、殆ど気付かれない。すなわち、照明があるにも拘わらず、和室の自然感が損なわれることはない。
【００１２】
夜間（点灯時）は、天然竹棒が自然発光しているように見える。したがって、照明があるにも拘わらず、和室の自然感が損なわれることはない。
【００１３】
また、外装カバーは両側の天然竹棒で支えられているため、内部の直管電灯は交換が自在に行える。すなわち、直管電灯を交換しても外装カバーは交換する必要はなく、外装カバーを長期にわたって使い続けることができる。
【００１４】
請求項２に係る考案では、和室は茶室である。請求項１の照明を茶室に適用することにより、茶室の自然感が損なわれることはなく、照光を得ることができる。
【図面の簡単な説明】
【００１５】
【図１】茶室の部分断面部である。
【図２】図１の２矢視図である。
【図３】本考案に係る和室用照明の分解斜視図である。
【図４】図３の４−４線断面図である。
【図５】外装カバーの断面図である。
【図６】図２の６−６線断面図である。
【図７】和室用照明の作用図である。
【図８】変更例を示す図である。
【図９】図８の作用図である。
【図１０】従来の間接照明を説明する図である。
【考案を実施するための形態】
【実施例】
【００１６】
本考案の実施例を図面に基づいて説明する。
実施例において、天然竹棒を室内面に配した和室は、茶室を例に説明する。ただし、和室は天然竹棒を室内面に配してある部屋であれば、通常の和室であっても差し支えない。
【００１７】
また、天然竹棒は、棹縁を例に以下説明するが、廻り縁、袖壁に沿わせた縁柱、壁に配する間柱であってもよく、要は、茶室に代表される和室の室内面に配置される竹棒であれば、その用途は任意である。さらには、天然竹棒は、天井や壁から室内側へ離して配置することや、天井や壁に密着させる若しくは埋め込んでもよく、要は、室内面に沿って配置されていれば配置の形態は自由である。
【００１８】
図１で茶室１０の一部分を説明すると、茶室１０の天井１１の室内面１１ａには、天然竹棒１２からなる棹縁が複数本平行に配置される。このような天井１１の先端から壁１３が立ち上がり、この壁１３と天井１１とが交わる部位に天然木１５が渡され、この天然木１５と天井の室内面１１ａによる入隅１４に、本考案の和室用照明を含む天然竹棒１６が渡される。この天然竹棒１６も棹縁である。
【００１９】
図２に示すように、天然竹棒１６の途中に、和室用照明２０が嵌め込まれている。
図３に示すように、和室用照明２０は、天井１１の室内面１１ａにビス２１、２１で固定される直管電灯２２と、この直管電灯２２をカバーする外装カバー２３とからなる。
【００２０】
直管電灯２２の円柱部分の長さをＬ１とする。天然竹棒１６は、Ｌ１より若干長いＬ２だけ、切り欠く。切り欠かれたことにより、１本の天然竹棒１６は、竹棒半体１６Ａと竹棒半体１６Ｂに分割（分離）される。
竹棒半体１６Ｂの分割側の側端部に、Ｕ字切り欠き２４、２４を切り欠き形成する。竹棒半体１６Ａにも同様に、Ｕ字切り欠き２４、２４を切り欠き形成する。これらの一連の切断や切り欠く加工は、床上又は適当な作業場で実施する。
【００２１】
奥のＵ字切り欠き２４は、直管電灯２２の固定用金具２５を収納する。手前のＵ字切り欠き２４は、直管電灯２２を交換する際に、ドライバーを差し込む用途に供する。
外装カバー２３の長さＬ３は、切り欠き部分の長さＬ２に、Ｕ字切り欠き２４、２４の長さを加え、さらに余裕を見込んだ長さとする。この長さに設定することで、直管電灯２２及びＵ字切り欠き２４、２４をカバーさせることができる。
すなわち、δ、δだけ、外装カバー２３が竹棒半体１６Ａ及び竹棒半体１６Ｂに被さる。δは（Ｌ３−Ｌ２）／２に相当する。
【００２２】
図４に示すように、直管電灯２２は、壁１３側に配置される放熱板２７と、この放熱板２７に取り付けられる基板２８と、この基板２８に実装される発光ダイオード素子２９と、この発光ダイオード素子２９を囲うようにして放熱板２７に固定されるガラス管３１とからなる。ガラス管３１の外径は３２ｍｍ程度が望ましい。発光ダイオードは、ＬＥＤと略記される。
【００２３】
ガラス管３１は乳白色を呈し、光を拡散させる拡散剤が混合又は塗布されており、発光ダイオード素子２９で発生した光はガラス管３１で拡散され、穏やかな照光となる。この例ではガラス管３１内に配光板３２、３２を立てて配光を制御するようにした。
【００２４】
本実施例では、いわゆるＬＥＤ式の直管電灯２２を採用した。ＬＥＤ照明は、発光ダイオード素子２９の定格寿命が数万時間で、交換頻度が少ないという利点がある。反面、高価である。
【００２５】
本考案は、直管電灯２２と外装カバー２３が完全に分離され、直管電灯２２の交換が容易に行える。そこで、直管電灯２２は、安価だが寿命が比較的短い蛍光管（ガラス管内に水銀蒸気を封入した市販の蛍光灯）であってもよい。
したがって、直管電灯２２は、細長い円柱状電灯であればよく、種類、形式は任意である。
【００２６】
次に、外装カバー２３の詳細を説明する。
図５に示すように、外装カバー２３は、厚さｔｃが０．３〜１．０ｍｍで断面がＣ形を呈する弾性変形可能な透光樹脂管３３と、この透光樹脂管３３の内面に塗布した拡散剤３４と、透光樹脂管３３の外面にプリントした竹模様３５が施されている。
Ｃ形を呈する透光樹脂管３３は、内径Ｄｃが３９ｍｍの円管から、中心角θｃで９０〜１００°の部分を切除した形態となる。丸管素材を切り欠くで透光樹脂管３３を得ることの他、樹脂の射出成形法によりＣ形を呈する透光樹脂管３３を直接得ることは差し支えない。透光樹脂管３３は、ポリカーボネイトやアクリルが採用できる。
【００２７】
竹棒半体１６Ｂの端部の外径Ｄｂが、４０ｍｍ程度であれば、竹棒半体１６Ｂに切削加工を施さない。外装カバー２３は断面がＣ形を呈し、弾性変形可能であるため、矢印のように広がった後に、竹棒半体１６Ｂの端部に嵌まる。１ｍｍ（３９−４０＝−１ｍｍ）の締め代があるため、地震などで力が加えられたとしても、竹棒半体１６Ｂから外装カバー２３が外れる心配はない。
【００２８】
次に、外装カバー２３と直管電灯２２との取り合いを説明する。
図６に示すように、直管電灯２２は固定用金具２５を介してビス２１により、室内面１１ａに固定される。
一方、図３で説明したように、外装カバー２３は竹棒半体１６Ａと竹棒半体１６Ｂで支持される。
【００２９】
そして、直管電灯２２の外径が３２ｍｍ、外装カバー２３の内径が３９ｍｍであるため、両者の間に３．５ｍｍ程度の隙間Ｔが存在する。
この隙間Ｔにより、直管電灯２２の照光は、拡散された後に、外装カバー２３で拡散されて室内へ至る。すなわち、間接照明となる。
【００３０】
また、隙間Ｔがあるため、直管電灯２２の外径が交換の前後で１．０ｍｍ程度変化しても差し支えない。よって、外装カバー２３は流用し、直管電灯２２のみを交換することができる。
【００３１】
以上の構成からなる和室用照明の作用を次に説明する。
図７（ａ）は非点灯時の様子を示し、図７（ｂ）は点灯時の様子を示す。
図７（ａ）に示すように、昼間などの非点灯時には、外装カバー２３の竹模様３５と、左右の竹棒半体１６Ａ及び竹棒半体１６Ｂの竹模様３５が色を含めて近似しているため、来客には和室用照明２０の存在が、殆ど認識できない。すなわち、和室内に和室用照明２０があるとは思われにくく、和室における自然感が良好に保たれる。
【００３２】
図７（ｂ）に示すように、夜間などの点灯時には、和室用照明２０が軟らかい照光を発する。天然竹棒１６の一部が発光しているように見え、来客に意外性を与えることとなる。
【００３３】
ところで、天然竹棒は、人工物とは異なり、外径は多様である。加えて、１本の天然竹井棒においても、根元が太く、先端が細くなり、部位によって外径が異なる。
この場合は、図８に示すように、竹棒半体１６Ｂの端部を削って、外径を所望の値にする。削り代が外装カバー２３の厚さと近似していれば、図９に示すように、面一となり、外観性が一層高まる。
【００３４】
本考案は、天然竹棒と組み合わされる和室用照明を提供する。外径を竹に似せたプラスチック製の人工竹棒には適用しない。プラスチック製の人工竹棒は安価であるが天然竹棒に比較して不自然さが目立つ。
和室は壁を京壁にするなど坪単価が高い。茶室はなおさらである。このような和室、茶室に、自然感に富む本考案の照明が相応しい。
【産業上の利用可能性】
【００３５】
本考案の和室用照明は、茶室の照明に好適である。
【符号の説明】
【００３６】
１０…和室（茶室）、１１ａ、１３ａ…室内面、１６…天然竹棒、１６Ａ、１６Ｂ…竹棒半体、２０…和室用照明、２２…直管電灯、２３…外装カバー、３５…竹模様、Ｌ１…直管電灯の長さ、Ｌ３…外装カバーの長さ。
【図１】
0003173492.tif 000003
【図２】
0003173492.tif 000004
【図３】
0003173492.tif 000005
【図４】
0003173492.tif 000006
【図５】
0003173492.tif 000007
【図６】
0003173492.tif 000008
【図７】
0003173492.tif 000009
【図８】
0003173492.tif 000010
【図９】
0003173492.tif 000011
【図１０】
0003173492.tif 000012